(57)【要約】      （修正有）【課題】灯具使用の安全性を向上可能な構造を提供する。【解決手段】中空部２３を設け、上端に第１貫通孔２２を設ける灯ソケット２０と、それぞれ嵌合孔２１と嵌合でき、少なくとも１つの挟持アーム４１を設ける複数の嵌合部材４０と、少なくとも２つの第１冷陰極蛍光管５１を設け、各第１冷陰極蛍光管の両端に第１電極部５１１及び第２電極部５１２を設け、第１電極部及び第２電極部の間に第１発光部５１３、湾折発光部５１４及び第２発光部５１５を設け、第２発光部及び第１発光部の位置と互いに平行に対応し、各第１冷陰極蛍光管が挟持アームと挟持固定されるランプ装置５０と、を含む。各第１冷陰極蛍光管が第１発光部、湾折発光部及び第２発光部を設け、第２発光部及び第１発光部の位置が互いに平行して対応し、１つの第１冷陰極蛍光管及びもう１つの第１冷陰極蛍光管を接続使用する時、第２電極部との距離の接近し過ぎによる高温発生を回避し、灯具の安全性を向上し、透光の陰影を除去できる。【選択図】図３
0003190417.tif 000002
【実用新案登録請求の範囲】
【請求項１】
灯ソケットであり、該灯ソケットの上端に複数の嵌合孔を設け、且つ該各嵌合孔が１つの線に直線配列され、該灯ソケットに中空部を設け、且つ該中空部が灯ソケット前後両端を貫通し、該灯ソケット上端に第１貫通孔を設け、且つ該第１貫通孔がストリップ状である灯ソケットと、
第１反射板であり、該第１反射板は、灯ソケット上端に設置され、且つ該第１反射板が複数の穿孔を設け、該各穿孔が灯ソケットの各嵌合孔の位置と互いに対応し、且つ該第１反射板に第２貫通孔を設け、該第２貫通孔は、灯ソケットの第１貫通孔の位置と互いに対応し、且つ該第２貫通孔がストリップ状である第１反射板と、
複数の嵌合部材であり、該各嵌合部材は、第１反射板の各穿孔と互いに穿合し、且つ該各嵌合部材は、灯ソケットの各嵌合孔と互いに嵌合し、且つ該各嵌合部材は、少なくとも１つの挟持アームを設ける複数の嵌合部材と、
ランプ装置であり、該ランプ装置は、少なくとも３つの第１冷陰極蛍光管を設け、且つ該各第１冷陰極蛍光管の両端は、それぞれ第１電極部及び第２電極部を設け、該第１電極部及び第２電極部の間に第１発光部、湾折発光部及び第２発光部を設け、且つ該第１発光部及び第２発光部は、互いに平行して対応し、該各第１冷陰極蛍光管は、該嵌合部材のうちの挟持アームと挟持固定し、且つ該第１冷陰極蛍光管は、灯ソケットの第１反射板上方に配設され、該そのうち１つの第１冷陰極蛍光管及びもう１つの第１冷陰極蛍光管は、同一直線に位置し、且つ該各第１冷陰極蛍光管の湾折発光部は、灯ソケットの第１貫通孔及び第１反射板の第２貫通孔と互いに穿合し、該各第１冷陰極蛍光管の第２発光部は、灯ソケットの中空部内に設置され、且つ該各第１冷陰極蛍光管の第２電極部は、灯ソケットの中空部内に設置されるランプ装置と、
灯ソケットの上端と互いに嵌合する灯蓋と、
２つの第２反射板であり、該各第２反射板は、少なくとも１つの切欠きを設け、且つ該切欠きは、第１冷陰極蛍光管の湾折発光部を互いに被せ合わせ、且つ該各第２反射板は、灯ソケットの上端に設置され、且つ該各第２反射板は、第１反射板上方に位置し、該各第２反射板は、灯ソケットの上端で滑動移動し、且つ該１つの第２反射板の切欠きがもう１つの第２反射板の切欠きと組み合わさった後に溝孔を形成する２つの第２反射板と、
を含む灯具使用の安全性を向上可能な構造。
【請求項２】
前記ランプ装置は、更に、少なくとも２つの第２冷陰極蛍光管を設け、且つ該各第２冷陰極蛍光管は、各第１冷陰極蛍光管と互いに平行に対応して配列され、該各第２冷陰極蛍光管の両端は、それぞれ第１電極部及び第２電極部を設け、該第１導電部及び第２電極部の間に第１発光部、湾折発光部及び第２発光部を設け、且つ該第１発光部及び第２発光部が互に平行に対応して配列され、且つ該各第２冷陰極蛍光管は、該嵌合部材の挟持アームと互いに挟持固定され、該第２冷陰極蛍光管及びもう１つの第２冷陰極蛍光管は、同一直線に位置するよう設置され、該各第２冷陰極蛍光管は、灯ソケットの第１反射板上方に配置され、且つ該各第２冷陰極蛍光管の湾折発光部は、灯ソケットの第１貫通孔及び第１反射板の第２貫通孔と互いに貫通設置され、該各第２冷陰極蛍光管の第２発光部は、灯ソケットの中空部内に設置され、且つ該各第２冷陰極蛍光管の第２電極部は、灯ソケットの中空部内に設置され、該各第２冷陰極蛍光管及び第１冷陰極蛍光管は、電線で互いに並列に電気接続され、且つ該各第２冷陰極蛍光管の湾折発光部がＵ形であり、該各第２冷陰極蛍光管がＪ形である請求項１に記載の灯具使用の安全性を向上可能な構造。
【請求項３】
前記各第１冷陰極蛍光管の湾折発光部がＵ形であり、且つ該各第１冷陰極蛍光管がＪ形である請求項１に記載の灯具使用の安全性を向上可能な構造。
【考案の詳細な説明】
【技術分野】
【０００１】
本考案は、灯具使用の安全性を向上可能な構造に関し、特に、該各第１冷陰極蛍光管は、第１発光部、湾折発光部及び第２発光部を設け、該第２発光部及び第１発光部の位置が互に平行して対応し、該そのうち１つの第１冷陰極蛍光管及びもう１つの第１冷陰極蛍光管を互いに設億使用する時、該第２電極部が互いに距離が接近し過ぎて高温の発生を招くことを回避し、灯具使用の安全性を到達し、また、灯光の陰影を除去する効果を達成することができる灯具使用の安全性を向上可能な構造に関する。
【背景技術】
【０００２】
一般の照明装置、例えば、中華民国専利公告第Ｍ３９１０４１「照明灯具及びその冷陰極蛍光管」は、２本の規格が４尺の冷陰極蛍光管を８尺の照明灯具に使用し、便利な運搬及び組み立てを達成し、それは、灯ソケットユニットと、ランプユニットと、電気接続機構と、を含み、該灯ソケットユニットは、２つの導電端蓋を設け、且つ灯ソケットを設けてなり、該ランプユニットは、灯ソケット内に設置され、且つ該ランプユニット内に長さ方向に沿って設置される少なくとも２本の第１冷陰極蛍光管１及び第２冷陰極蛍光管（図示せず）であり、該各第１冷陰極蛍光管１及び第２冷陰極蛍光管が何れも１つの第１導電部１１及び第２導電部を有する少なくとも２本の第１冷陰極蛍光管１及び第２冷陰極蛍光管と、該第１導電部１１及び第２導電部１２を接続する１つの発光部１０と、を含み、該発光部１０は、長さ方向に沿って設置される１つの主発光部１０１と、１つの転向発光部１０２と、主発光部１０１と垂直に設置される副発光部１０３と、を含み、該電気接続機構は、導電端蓋及び第１冷陰極蛍光管１と互いに電気接続し、また、該第１冷陰極蛍光管１及び第２冷陰極蛍光管の第２導電部１２は、何れも１本の第２挿入ロッドを有し、該電気機構の導電接続片（図示せず）は、２つの２つの前記第１及び第２冷陰極蛍光管の第２挿入ロッドを挿入設置させる挿入孔を有し、また、該電気接続機構は、更に、それぞれ該導電接続片及び第１冷陰極蛍光管１及び第２冷陰極蛍光管の第２導電部１２外周を囲う２つの保護カバーを含み、各第１冷陰極蛍光管１が互に接続する時に発生する暗領域を減少し、照明均一性を向上する効果を達成する。
【０００３】
従来の照明装置は、照明の均一性を向上する効果を達成することができるが、図１に示すように、各第１冷陰極蛍光管１及び第２冷陰極蛍光管（図示せず）の発光部１０の転向発光部１０２の角度が何れも直角に近いことにより、該各第１冷陰極蛍光管１及び第２冷陰極蛍光管が脆弱で断裂し易い欠陥を有し、また、該第１冷陰極蛍光管１及び第２冷陰極蛍光管は、何れも長さ方向に沿って設置されることにより、図２に示すように、該各第１冷陰極蛍光管１の第２導電部１２及び各第２冷陰極蛍光管の第２導電部１２が長さ方向に沿って設置される時の距離Ｌ１を何れも互に接近するが、該各第２導電部１２の電極距離Ｌ１が互に近い時、導電後に高圧によって高温を発生し易く、高温によって保護カバー又は導電皮を破裂又は断裂させる欠陥を生じ易く、また、高圧によって電極が容易に相互に衝突を発生し、火花を生じる状況を招き、導電発火の欠陥を招き、また、一般の照明装置が市場で使用する灯ソケットの材質は、何れもＰＣ又はアルミ押し出し材質であり、これにより、使用者がＰＣ材質の灯ソケットを使用し、且つ従来の第１冷陰極蛍光管１を使用する時、該ＰＣ座質の灯ソケットが凹陥湾曲の状況を有し易いことにより、該第１冷陰極蛍光管１の第２導電部１２が互に接近し過ぎ、高温が該ＰＣ材質の灯ソケットに溶解の状況を生じさせ易く、高温溶解の状況を回避する必要がある場合、該ＰＣ材質の灯ソケットの高度を高くする必要があり、該ＰＣ材質の灯ソケットの使用を制限させ、更に、使用者がアルミ押し出し材質の灯ソケットを使用し且つ従来の第１冷陰極蛍光管１又は第２冷陰極蛍光管を使用する時、従来の第１冷陰極蛍光管１又は第２冷陰極蛍光管の副発光部１０３の高さの制限を受け易く、従来の第１冷陰極蛍光管１又は第２冷陰極蛍光管の第２導電部１２は、アルミ押し出し材質の灯ソケットとの距離が接近し過ぎて電極が高圧になり、接触の電気ショックの状況を有し易く、従来の第１冷陰極蛍光管１又は第２冷陰極蛍光管は、安全性の懸念の欠陥があり、また、一般の照明装置の敷設壁は、何れもＰＥＴ(Polyethylene terephthalate)を反射板の材質としているので、８尺の照明灯具に使用する場合、該ＰＥＴ材質は、湾曲し易く、別途一層のＰＣ板を増設し、支持を達成する必要があり、従来の第１冷陰極蛍光管１を使用する時、厚さが増加することで従来の第１冷陰極蛍光管１に設置の制限をもたせ易くなる。
【０００４】
故に、上記欠陥を如何に解決するかは、本考案者が解決を欲する技術的難点の所在となっている。
【先行技術文献】
【特許文献】
【０００５】
【特許文献１】特開２０１１−８６４６６号公報
【考案の概要】
【考案が解決しようとする課題】
【０００６】
現有の照明装置において、２本の冷陰極蛍光管が接続する時、ランプ全体の照明の均一性が良好でなくなり易い欠陥に鑑み、本考案の目的は、灯具使用の安全性を向上可能な構造を提供し、該各第１冷陰極蛍光管が第１発光部、湾折発光部及び第２発光部を設け、且つ該第２発光部及び第１発光部の位置が互いに平行して対応し、該そのうち１つの第１冷陰極蛍光管及びもう１つの第１冷陰極蛍光管を互いに接続して使用する時、該第２電極部との距離が接近し過ぎて高温の発生を招くことを回避し、灯具の安全性を向上し、更に、透光陰影を除去する効果を達成することができるようにすることである。
【課題を解決するための手段】
【０００７】
上記の目的を達成するため、本考案が提供する灯具使用の安全性を向上可能な構造は、以下を含む。
【０００８】
灯ソケットであり、該灯ソケットの上端に複数の嵌合孔を設け、且つ該各嵌合孔が１つの線に直線配列され、該灯ソケットに中空部を設け、且つ該中空部が灯ソケット前後両端を貫通し、該灯ソケット上端に第１貫通孔を設ける。
【０００９】
第１反射板であり、該第１反射板は、灯ソケット上端に設置され、且つ該第１反射板が複数の穿孔を設け、該各穿孔が灯ソケットの各嵌合孔の位置と互いに対応することができ、且つ該第１反射板に第２貫通孔を設け、該第２貫通孔は、灯ソケットの第１貫通孔の位置と互いに対応することができる。
【００１０】
複数の嵌合部材であり、該各嵌合部材は、第１反射板の各穿孔と互いに穿合でき、且つ該各嵌合部材は、灯ソケットの各嵌合孔と互いに嵌合でき、且つ該各嵌合部材は、少なくとも１つの挟持アームを設ける。
【００１１】
ランプ装置であり、該ランプ装置は、少なくとも３つの第１冷陰極蛍光管を設け、且つ該各第１冷陰極蛍光管の両端は、それぞれ第１電極部及び第２電極部を設け、該第１電極部及び第２電極部の間に第１発光部、湾折発光部及び第２発光部を設け、且つ該第１発光部及び第２発光部は、互いに平行して対応し、該各第１冷陰極蛍光管は、該嵌合部材のうちの挟持アームと挟持固定でき、且つ該冷陰極蛍光管は、灯ソケットの第１反射板上方に配設され、該そのうち１つの第１冷陰極蛍光管及びもう１つの第１冷陰極蛍光管は、同一直線に位置し、且つ該各第１冷陰極蛍光管の湾折発光部は、灯ソケットの第１貫通孔と互いに穿合し、該各第１冷陰極蛍光管の第２発光部は、灯ソケットの中空部内に設置され、且つ該各第１冷陰極蛍光管の第２電極部は、灯ソケットの中空部内に設置される。
【００１２】
２つの第２反射板であり、該各第２反射板は、少なくとも１つの切欠きを設け、且つ該切欠きは、第１冷陰極蛍光管の湾折発光部を互いに被せ合わせることができ、且つ該各第２反射板は、灯ソケットの上端に設置され、且つ該各第２反射板は、第１反射板上方に位置し、該各第２反射板は、灯ソケットの上端で滑動移動でき、且つ該１つの第２反射板の切欠きがもう１つの第２反射板の切欠きと組み合わさった後に溝孔を形成することができる。
【００１３】
灯蓋であり、該灯蓋は、灯ソケットの上端と互いに嵌合することができる。
【００１４】
２つの調整可能式灯ヘッドであり、該各調整可能式灯ヘッドは、第１端及び第２端を設け、且つ該各調整可能式灯ヘッドの第１端に端子を設け、該端子は、調整可能式灯ヘッドと互いに穿合でき、且つ該各調整可能式灯ヘッド内に定位部材を設け、該定位部材は、定位部を設け、該定位部は、灯ソケットに設置され、互いに被さり合うことができ、且つ該各調整可能式灯ヘッドの第２端は、各第１冷陰極蛍光管の第１電極部の位置と互いに対応することができる。
【考案の効果】
【００１５】
本考案が提供する灯具使用の安全性を向上可能な構造は、該各第１冷陰極蛍光管に第１発光部、湾折発光部及び第２発光部を設け、且つ該第２発光部及び第１発光部の位置が互いに平行して対応することにより、該そのうち１つの第１冷陰極蛍光管及びもう１つの第１冷陰極蛍光管を接続しようする時、該第２電極部との距離が接近し過ぎて高温の発生を招き、灯具の安全性を向上し、透光陰影を除去する効果を達成することができる。
【図面の簡単な説明】
【００１６】
【図１】従来の第１冷陰極蛍光管の側面説明図である。
【図２】従来の第１冷陰極蛍光管の隣り合うバックライト光線が互にオフセットされる側面説明図である。
【図３】本考案の第１実施例の立体分解説明図である。
【図４】本考案の第２実施例の立体分解説明図である。
【図５】本考案の第２実施例の断面説明図である。
【図６】本考案の第２実施例の部分側面説明図である。
【図７】本考案の第２実施例の側面説明図である。
【図８】本考案の第２実施例の第２反射板の応用時の俯瞰説明図である。
【図９】本考案の使用状態の側面説明図である。
【考案を実施するための形態】
【００１７】
図３を参照し、それは、本考案の第１実施例であり、本考案が提供する灯具使用の安全性を向上可能な構造は、以下を含む。
【００１８】
灯ソケット２０であり、該灯ソケット２０の上端２０１に複数の嵌合孔21を設け、且つ該各嵌合孔２１は、１つの線に直線配列され、該灯ソケット２０は、中空部２３を設け、且つ該中空部２３は、灯ソケット２０前後両端を貫通し、該灯ソケット２０の上端２０１は、第１貫通孔２２を設け、且つ該第１貫通孔２２は、ストリップ状であることができる。
【００１９】
第１反射板３０であり、該第１反射板３０は、灯ソケット２０上端２０１に設置され、且つ該第１反射板３０に複数の穿孔３１を設け、該各穿孔３１は、灯ソケット２０の各嵌合孔２１の位置と互いに対応することができ、且つ該第１反射板３０は、第２貫通孔３２を設け、該第２貫通孔３２は、灯ソケット２０の第１貫通孔２２の位置と互いに対応することができ、且つ該第２貫通孔３２は、ストリップ状であることができる。
【００２０】
複数の嵌合部材４０であり、該各嵌合部材４０は、第１反射板３０の各穿孔３１と互いに穿合でき、且つ該各嵌合部材４０は、灯ソケット２０の各嵌合孔と互いに嵌合でき、且つ該各嵌合部材４０は、少なくとも１つの挟持アーム４１を設ける。
【００２１】
ランプ装置５０であり、該ランプ装置５０は、少なくとも２つの第１冷陰極蛍光管５１を設け、且つ該各第１冷陰極蛍光管５１の両端にそれぞれ第１電極部５１１及び第２電極部５１２を設けることができ、該第１電極部５１１及び第２電極部５１２の間に第１発光部５１３、湾折発光部５１４及び第２発光部５１５を設け、且つ該湾折発光部５１４は、Ｕ形であることができ、且つ該第１発光部５１３及び第２発光部５１５は、互いに平行に対応し、該各第１冷陰極蛍光管５１は、Ｊ形であることができ、且つ該第１冷陰極蛍光管５１は、該嵌合部材４０のうち１つの挟持アーム４１と互いに挟持固定でき、該各第１冷陰極蛍光管５１は、灯ソケット２０の第１反射板３０上方に配設され、且つ該１つの第１冷陰極蛍光管５１及びもう１つの第１冷陰極蛍光管５１は、同一直線に位置するよう設置され、該第１冷陰極蛍光管５１の湾折発光部５１４は、灯ソケット２０の第１貫通孔２２及び第１反射板３０の第２貫通孔３２と互いに穿合でき、且つ該第１冷陰極蛍光管５１の第２発光部５１５は、灯ソケット２０の中空部２３内に設置され、且つ該各第１冷陰極蛍光管５１の第２電極部５１２は、灯ソケット２０  の中空部２３内に設置され、図７に示すように、該各第２電極部５１２の距離Ｌ２は、互いに接近せず、電極が互に接近する時に高温を発生し、該電線皮、又は保護カバー５３が破裂する状況を回避し、高温発生時に電線の発火が出る状況を回避することができ、灯具使用の安全性を向上し、該各第１冷陰極蛍光管５１の第２電極部５１２に保護カバー５３を被せ設けることができ、保護の効果を達成することができ、本考案の設計は、保護カバー５３の部材特性と関連がないので、更には、詳細を記載しない。
【００２２】
灯蓋６０であり、該灯蓋６０は、灯ソケット２０の上端２０１と互いに嵌合することができる。
【００２３】
２つの第２反射板７０であり、該各第２反射板７０は、少なくとも１つの切欠き７１を設け、且つ該切欠き７１は、第１冷陰極蛍光管５１の湾折発光部５１４を互いに被せ合わせることができ、且つ該各該第２反射板７０は、灯ソケット２０の上端２０１に設けられ、且つ該各第２反射板７０は、第１反射板３０上方に位置することができ、該各第２反射板７０は、灯ソケット２０の上端２０１において滑動移動することができ、且つ該１つの第２反射板７０の切欠き７１は、もう１つの第２反射板７０の切欠き７１と互いに組み合わさった後に溝孔７２を形成することができ、該溝孔７２は、楕円形であることができる。
【００２４】
２つの調整可能式灯ヘッド８０であり、該各調整可能式灯ヘッド８０は、第１端８０１及び第２端８０２を設け、且つ該各調整可能式灯ヘッド８０の第１端８０１に端子８１を設け、該端子８１は、調整可能式灯ヘッド８０と互いに穿合でき、且つ該各調整可能式灯ヘッド８０内に定位部材８２を設け、該定位部材８２は、定位部８２１を設け、該定位部８２１は、灯ソケット２０に設置され、互いに被さり合うことができ、且つ該各調整可能式灯ヘッド８０の第２端８０２は、各第１冷陰極蛍光管５１の第１電極部５１１の位置と互いに対応することができ、発光効果を有さない第１電極部５１１に遮蔽の効果を達成させることができ、図６に示すように、該調整可能式灯ヘッド８０内に数本の電線（図示せず）を有し、該電線は、各調整可能式灯ヘッド８０の端子８１と並列方式で各第１冷陰極蛍光管５１を互いに電気接続させ、本考案の設計は、電線の配置方式と関連しないので、ここでは更に詳細を記載しない。
【００２５】
図４を参照し、それは、本考案の第２実施例であり、本考案の嵌合部材４０に少なくとも１つの挟持アーム４１を設け、該１つの挟持アーム４１及びもう１つの挟持アーム４１の位置が互に平行に対応し、従って、本考案が２つ以上の第１冷陰極蛍光管５１、及び第２冷陰極蛍光管５２を同時に使用する時、本考案のランプ装置５０は、更に、少なくとも２つの第２冷陰極蛍光管５２を設けることができ、且つ該各第２冷陰極蛍光管５２は、各第１冷陰極蛍光管５１と互いに平行に対応して配列され、該各第２冷陰極蛍光管５２の両端は、それぞれ第１電極部５２１及び第２電極部５２２を設け、該第１導電部５２１及び第２電極部５２２の間に第１発光部５２３、湾折発光部５２４及び第２発光部５２５を設け、且つ該湾折発光部５２４がＵ形であることができ、且つ該第１発光部５１３及び第２発光部５１５が互に平行に対応して配列され、該各第２冷陰極蛍光管５２がＪ形であることができ、且つ該各第２冷陰極蛍光管５２は、該嵌合部材４０の挟持アーム４１と互いに挟持固定でき、該第２冷陰極蛍光管５２及びもう１つの第２冷陰極蛍光管５２は、同一直線に位置するよう設置され、各第２冷陰極蛍光管５２は、各第１冷陰極蛍光管５１と互いに平行に対応して配列される効果を達成し、該各第２冷陰極蛍光管５２は、灯ソケット２０の第１反射板３０上方に配置され、且つ該各第２冷陰極蛍光管５２の湾折発光部５２４は、灯ソケット２０の第１貫通孔２２及び第１反射板３０の第２貫通孔３２と互いに貫通設置されることができ、該各第２冷陰極蛍光管５２の第２発光部５２５は、灯ソケット２０の中空部２３内に設置され、且つ該各第２冷陰極蛍光管５２の第２電極部５２２は、灯ソケット２０の中空部２３内に設置され、図５、図７に示すように、該各第２電極部５２２の間の距離Ｌ２は、互いに接近せず、電極が互い接近する時に高温を発生して該電線皮、又は保護カバー５２を破裂させる状況を回避することができ、更に、高温発生時に電線が発火する状況を回避することができ、灯具使用の安全性を向上し、且つ該各第２冷陰極蛍光管５２及び各第１冷陰極蛍光管５１は、電線（図示せず）により並列に電気接続され、本考案の設計及び電線の配置方式は、関連しないので、ここでは、詳細を記載せず、該調整可能式灯ヘッド８０の第２端８０２は、各第１冷陰極蛍光管５１の第１電極部５１１及び各第２冷陰極蛍光管５２の第１電極部５２１の位置と互いに対応することができ、図６に示すように、発光効果を有さない第１電極部５１１、５２１に遮蔽効果を達成させることができる。
【００２６】
図４、図８に示すように、本考案の第２実施例の各第２反射板７０は、少なくとも１つの切欠き７１を設け、更に、該切欠き７１は、それぞれ第１冷陰極蛍光管５１の湾折発光部５１４及び第２冷陰極蛍光管５２の湾折発光部５２４と互いに被さり合うことができ、且つ該第１第２反射板７０は、灯ソケット２０の上端２０１において滑動移動することができ、該１つの第２反射板７０の切欠き７１をもう１つの第２反射板７０の切欠き７１と互いに対応して組み合わせた後に溝孔７２を形成することができ、且つ該溝孔７２は、楕円形であることができ、該溝孔７２によって、各第１冷陰極蛍光管５１及び各第２冷陰極蛍光管５２を互いに貫通設置させることができ、従って、該１つの第２反射板７０及びもう１つの第２反射板７０を組み合わせた後、灯ソケット２０の第１貫通孔２２に位置する各第１冷陰極蛍光管５１の湾折発光部５１４及び各第２冷陰極蛍光管５２の湾折発光部５２４に照明輝度向上の効果を達成させることができ、更に、灯光に陰影が生じることを解決することができ、図９に示すとおりである。
【００２７】
本考案の進歩性及び実用性を分かり易くする為、以下に従来技術と比較分析する：
従来技術：
1.高温によって保護カバー、又は電線皮が破裂又は断裂し易い欠陥を有する。
2.高温によって電極が相互に衝突して火花を発生する状況を招き、電線発火の欠陥を招く。
本考案の利点：
1.電極が互いに接近する時に高温を発生し、該電線皮、又は保護カバーが破裂する状況を発生することを回避する。
2.高温を発生する時に電線発火の状況を回避する。
3.灯光に陰影が発生することを解決する効果を有する。
4.照明輝度を向上する。
5.灯具使用の安全性を向上する。
【符号の説明】
【００２８】
[従来技術]
１  第１冷陰極蛍光管
１０  発光部
１０１  主発光部
１０２  転向発光部
１０３  副発光部
１１  第１導電部
１２  第２導電部
Ｌ１  距離
[本考案]
２０  ランプソケット
２０１  上端
２１  嵌合孔
２２  第１貫通孔
２３  中空部
３０  第１反射板
３１  穿孔
３２  第２貫通孔
４０  嵌合部材
４１  挟持アーム
５０  ランプ装置
５１  第１冷陰極蛍光管
５１１  第１電極部
５１２  第２電極部
５１３  第１発光部
５１４  湾折発光部
５１５  第２発光部
５２  第２冷陰極蛍光管
５２１  第１電極部
５２２  第２電極部
５２３  第１発光部
５２４  湾折発光部
５２５  第２発光部
５３  保護カバー
６０  灯蓋
７０  第２反射板
７１  切欠き
７２  溝孔
８０  調整可能式灯ヘッド
８０１  第１端
８０２  第２端
８１  端子
８２  定位部材
８２１  定位部
Ｌ２  距離
【図１】
0003190417.tif 000003
【図２】
0003190417.tif 000004
【図３】
0003190417.tif 000005
【図４】
0003190417.tif 000006
【図５】
0003190417.tif 000007
【図６】
0003190417.tif 000008
【図７】
0003190417.tif 000009
【図８】
0003190417.tif 000010
【図９】
0003190417.tif 000011